(57)【特許請求の範囲】
【請求項１】
稜線を有する商品と、前記稜線に跨がり且つ前記商品から一部分が突出した状態で貼着されたラベルと、を有するラベル付き商品であって、
前記ラベルが、重ね合わされた表基材と裏基材を有し、且つその重ね合わせ面の一部の領域において表基材と裏基材が接着された接着部を有し、前記表基材は、端縁を含む端部において前記裏基材と接着されていない非接着部を有し、
前記接着部に対応する裏基材の領域が、前記稜線の一方側における商品に貼着され、且つ、前記非接着部に対応する裏基材の領域が、前記稜線の他方側における商品の外形に追従して貼着されることによって、前記表基材の非接着部が、前記稜線の他方側に追従することなく前記裏基材から離れて前記商品から突出していることを特徴とするラベル付き商品。
【請求項２】
前記接着部における表基材と裏基材との接着強度が、前記裏基材と商品との接着強度よりも大きい請求項１に記載のラベル付き商品。
【請求項３】
前記非接着部に対応する裏基材の面内に、１本又は複数の切り目が形成されている請求項１または２に記載のラベル付き商品。
【請求項４】
前記裏基材の重ね合わせ面と反対側の面に、商品に貼着するための貼着部が設けられており、
前記貼着部の面積が、前記表基材と裏基材の接着部の面積よりも大きい請求項１〜３の何れか一項に記載のラベル付き商品。
【請求項５】
前記裏基材が、前記表基材よりも柔軟である請求項１〜４の何れか一項に記載のラベル付き商品。
【発明の詳細な説明】
【技術分野】
【０００１】
本発明は、商品からラベルの一部分が突出して貼着されたラベル付き商品に関する。
【背景技術】
【０００２】
従来、商品の広告宣伝効果を高めるため、一部分が商品の外面から突出して貼着されるラベル（この種のラベルは、ＰＯＰラベルとも言われる。以下、ＰＯＰラベルと略称する場合がある）が知られている。
このＰＯＰラベルは、一般に所定形状の柔軟なシート状の基材で形成され、商品に貼着するための貼着部と商品に貼着不可な表示部とが、前記基材に形成されている。該ＰＯＰラベルは、例えば、その貼着部を商品の上端部に貼着することにより、表示部を商品の上縁から外側へと突出させて使用される。
【０００３】
このようなＰＯＰラベルとしては、特許文献１に開示のラベルが知られている。
特許文献１のラベルは、貼着部と表示部を有し、その貼着部を、容器に装着されたシュリンクラベルの上端部に貼着して使用される。このように貼り付けられたタックラベルは、その表示部がシュリンクラベルの上端縁から上方に突出し、目立ちやすくなるので、十分な宣伝広告効果を発揮する。
【特許文献１】特開２００２−３５１３３３
【発明の開示】
【発明が解決しようとする課題】
【０００４】
上記のように一部分が容器から突出した状態で貼着されるラベルは、より目立ち易くするため、表示部をより大きく形成することが望まれる。
しかしながら、表示部を大きく形成すると（大面積にすると）、相対的に貼着部が小さくなる。このため、ラベル付き容器を搬送中に、容器から突出した表示部が異物等と接触したときに、ラベルが容器から外れることがある。
さらに、容器の外面には、通常、凹凸が形成されており、この凹凸面に、ラベルの貼着部が貼着されることがある。この場合、ラベルの貼着部が、容器に十分に貼り付かないため、特にラベルが外れ易い。
【０００５】
本発明の目的は、ラベルの一部分が商品から突出した状態で、ラベルが商品に安定的に貼着されたラベル付き商品を提供することである。
【課題を解決するための手段】
【０００６】
本発明のラベル付き商品は、稜線を有する商品と、前記稜線に跨がり且つ前記商品から一部分が突出した状態で貼着されたラベルと、を有するラベル付き商品であって、前記ラベルが、重ね合わされた表基材と裏基材を有し、且つその重ね合わせ面の一部の領域において表基材と裏基材が接着された接着部を有し、前記表基材は、端縁を含む端部において前記裏基材と接着されていない非接着部を有し、前記接着部に対応する裏基材の領域が、前記稜線の一方側における商品に貼着され、且つ、前記非接着部に対応する裏基材の領域が、前記稜線の他方側における商品の外形に追従して貼着されることによって、前記表基材の非接着部が、前記稜線の他方側に追従することなく前記裏基材から離れて前記商品から突出していることを特徴とする。
【０００７】
上記本発明のラベル付き商品は、表基材のうち、端縁を含む端部において表基材と裏基材が接着されていない非接着部が、商品から突出している。よって、本発明のラベル付き商品は、表基材に表示された広告が目立ち、広告宣伝効果に優れている。
このラベルは、表基材と裏基材を有し、接着部に対応する裏基材の領域が、商品に貼着され、且つ、非接着部に対応する裏基材の領域が、商品の外形に追従して貼着される。従って、本発明のラベル付き商品は、ラベルの、商品に対する貼着面積が大きくなり、ラベルが商品から外れ難い。
【０００８】
本発明の好ましいラベル付き商品は、前記接着部における表基材と裏基材との接着強度が、前記裏基材と商品との接着強度よりも大きい。
【０００９】
かかる好ましいラベル付き商品は、表基材と裏基材との接着強度が、前記裏基材と商品との接着強度よりも大きいため、商品から突出する表基材が異物等と接触しても、表基材が裏基材から剥がれ難い。従って、上記好ましいラベル付き商品は、ラベルが商品から特に外れ難い。
【００１０】
本発明の他の好ましいラベル付き商品は、前記非接着部に対応する裏基材の面内に、１本又は複数の切り目が形成されている。
かかる好ましいラベル付き商品は、非接着部に対応する裏基材の面内に、１本又は複数の切り目が形成されているため、裏基材が２つ以上の領域に分割されている。このように裏基材が分割されているラベルは、容器の凹凸面や容器の肩部（縮径した部分）に裏基材を追従させ、非接着部に対応する裏基材の領域を容器に確実に貼り付けることができる。
【００１１】
本発明の他の好ましいラベル付き商品は、前記裏基材の重ね合わせ面と反対側の面に、商品に貼着するための貼着部が設けられており、前記貼着部の面積が、前記表基材と裏基材の接着部の面積よりも大きい。
【００１２】
かかる好ましいラベル付き商品では、裏基材の貼着部の面積が、表基材と裏基材の接着部の面積よりも大きいので、該裏基材の貼着部を介して、ラベルを安定的に商品に貼着できる。
【００１３】
本発明の他の好ましいラベル付き商品は、前記裏基材が、前記表基材よりも柔軟である。
【００１４】
かかる好ましいラベル付き商品は、裏基材が柔軟であるため、該裏基材が商品の外面形状に沿って変形し易い。このため、裏基材の貼着部を商品に貼着したときに、裏基材が商品の外面形状に追従して変形し、裏基材の商品に対する貼着面積が大きくなる。従って、該ラベルを商品に安定的に貼着できる。さらに、表基材は、裏基材に比して変形し難いので、ラベルを商品に貼着したときに、表基材が折れ曲がったりせず、表基材を商品から良好に突出させることができる。
【発明の効果】
【００１５】
本発明に係るラベル付き商品は、ラベルの表基材が商品から突出しているため、表基材に表示された広告が目立ち、広告宣伝効果に優れている。さらに、このラベルの裏基材が商品に貼着されているので、本発明のラベル付き商品は、ラベルが商品から外れ難い。
また、本発明に係るラベルは、商品に貼着したときに、表基材の一部分を商品から突出させることができる。さらに、本発明のラベルは、裏基材の貼着部を介して商品に貼着するため、商品に安定的に貼着できる。
【発明を実施するための最良の形態】
【００１６】
以下、本発明について、図面を参照しつつ具体的に説明する。
＜ラベルについて＞
図１〜図３に於いて、１は、表基材２の一部分が商品から突出するように、商品に貼着されて使用されるラベルを示す。
該ラベル１は、重ね合わされた表基材２と裏基材３を有し、前記表基材２と裏基材３の重ね合わせ面の一部分が接着されていると共に、裏基材３の前記重ね合わせ面と反対側の面に、商品に貼着するための貼着部８が設けられている。該ラベル１は、裏基材３を商品の外面に貼着することにより、表基材２の一部分が商品から突出し、該表基材２に表示された広告を目立たせることができる。
なお、本明細書において、表基材及び裏基材の重ね合わせ面を「内面」といい、表基材及び裏基材の重ね合わせ面と反対側の面を「外面」という場合がある。また、表基材及び裏基材を合わせて「両基材」という場合がある。
【００１７】
上記ラベル１は、表基材２と裏基材３の重ね合わせ面のうち、一部の領域が接着されている（この接着された領域を接着部４という）。また、ラベル１は、前記接着部４以外の領域においては表基材２と裏基材３は接着されておらず、両基材２，３は単に重ねられているだけである（この接着部４以外の領域を非接着部５という）。図１及び図３に示すように、前記非接着部５は、表基材２の、端縁を含む端部に設けられている。
【００１８】
表基材２及び裏基材３は、所定の平面視形状（例えば、平面視略矩形状など）に形成されている。両基材２，３は、同形に形成されていることが好ましいが、異なる形状に形成されていてもよい。また、両基材２，３は、同大に形成されていることが好ましいが、両基材２，３の何れか一方が、他方よりも大きく形成されていてもよい。この場合、表基材２が、裏基材３よりも大きく形成されていることが好ましい。
両基材２，３の大きさは、特に限定されず、貼着する商品の大きさなどに応じて適宜設定できる。例えば、両基材２，３が平面視略矩形状に形成される場合、両基材２，３の大きさは、縦×横が１５ｍｍ〜１００ｍｍ×１５ｍｍ〜１００ｍｍ程度である。
【００１９】
両基材２，３は、それぞれシート材（一般にフィルムと呼ばれるものも同義である）から形成されている。該シート材としては、例えば、紙、合成紙、合成樹脂製シート、金属蒸着シート、発泡樹脂シートなどが挙げられる。また、該シート材は、前記各種シートの積層体などでもよい。合成樹脂製シート等の材質は特に限定されず、例えば、ポリエチレン、ポリプロピレン、環状オレフィン、ポリエチレンを含む共重合ポリマーなどのポリオレフィン系、ポリエチレンテレフタレートなどのポリエステル系、ポリアミド系、ポリスチレン系などが挙げられる。両基材２，３は、透明なシート材を用いることが好ましく、特に、裏基材３は、透明なシート材を用いることが好ましい。
また、両基材２，３の厚みは、それぞれ３０〜１５０μｍ程度が好ましい。
【００２０】
両基材２，３は、同一材料のシート材を用いてもよいし、或いは、同じ厚みのシート材を用いてもよい。
好ましくは、裏基材３は、柔軟性に優れたシート材が用いられ、表基材２は、剛性に優れたシート材が用いられる。好ましくは、裏基材３は、表基材２よりも柔軟なシート材が用いられる。裏基材３が柔軟であると、商品の外形に応じて追従変形して、裏基材３が商品の外面形状に沿って密着し易くなるからである。
従って、裏基材３としては、ポリエチレン、ポリプロピレンなどを主成分とする合成樹脂製シート、合成紙（好ましくはポリプロピレンを主成分とする合成紙）などを用いることが好ましい。一方、表基材２としては、ポリエチレンテレフタレートなどのポリエステル系、ポリアミド系などを主成分とする合成樹脂製シート、普通紙などの紙などを用いることが好ましい。また、表基材２と裏基材３が同じ素材のシート材でもよく、この場合には、表基材２は、裏基材３よりも厚いシート材が用いられる。
【００２１】
裏基材３の剛性度は、リングクラッシュ強度１．０Ｎ〜２０．０Ｎであり、好ましくは、同２．０Ｎ〜１５．０Ｎであり、より好ましくは、同３．０Ｎ〜１０．０Ｎである。裏基材３のリングクラッシュ強度が１．０Ｎ未満であると、ラベルの製造時を含め、その取り扱い性が悪く、一方、裏基材３のリングクラッシュ強度が２０．０Ｎを超えると、柔軟性に劣り、商品の外形に追従し難いからである。
また、表基材２の剛性度は、リングクラッシュ強度５．０Ｎ以上であり、好ましくは、同７．０Ｎ〜５０．０Ｎであり、より好ましくは、同１０．０Ｎ〜３０．０Ｎである。リングクラッシュ強度が５．０Ｎ以上の表基材２を用いれば、ラベル１を商品に貼着したときに、表基材２の非接着部５を綺麗に立ち上がらせることができる。
ただし、リングクラッシュ強度は、ＪＩＳ  Ｐ  ８１２６に準じて測定された値である。
【００２２】
表基材２の外面には、各種表示（商品名、懸賞案内などの広告を含む）を表した意匠印刷が施されている。なお、必要に応じて、表基材２の内面にも、前記意匠印刷を施してもよい。また、必要に応じて、裏基材３に前記意匠印刷を施してもよい。もっとも、裏基材３が透明なシート材である場合には、該裏基材３には、実質的に意匠印刷を施さずに、裏基材３を透明な状態としておくことが好ましい。裏基材３が透明であれば、該裏基材３を商品に貼着したときに、裏基材３によって商品の外面に施された各種表示が隠れず、裏基材３を介して前記商品の各種表示を透視することができる。
【００２３】
両基材２，３は、その重ね合わせ面の一部の領域（接着部４）で接着されている。該接着部４は、両基材２，３の中央部でもよいが、好ましくは両基材２，３の一端部に形成される。特に好ましくは、図示したように、接着部４は、両基材２，３の一端部の帯状領域に形成される。
接着部４の上端縁４ａは、接着部４と非接着部５を区画する境界線であり、好ましくは、接着部４の上端縁４ａは、直線状に形成される。
表基材２は、前記接着部４において裏基材３と接着している。一方、表基材２は、接着部４の上端縁４ａを境にして、非接着部５において裏基材３から離れ得る。
【００２４】
両基材２，３の接着は、粘着剤を用いることができる。また、粘着剤に代えて、接着剤を用いてもよい。また、両基材２，３が、溶剤接着可能なシート材からなる場合には、溶剤を用いて両基材２，３が接着されていてもよい。さらに、両基材２，３が、熱シール可能なシート材からなる場合には、熱シールによって両基材２，３が接着されていてもよい。
【００２５】
好ましくは粘着剤を介して、両基材２，３の重ね合わせ面の一部の領域（接着部４）が接着されている。
粘着剤としては、感圧型粘着剤が好ましいが、感熱型粘着剤を用いることもできる。
好ましい１つの実施形態では、図３に示すように、表基材２の内面全体に粘着剤を塗工して表基材２の内面に粘着剤層６が積層され、この粘着剤層６の表面のうち、非接着部５に対応する領域に隠蔽層７が積層されている。該隠蔽層７が積層されていない領域（接着部４）において露出した粘着剤層６を介して、両基材２，３が接着されている。
なお、表基材２の内面全体に粘着剤層６を積層する方法に代えて、裏基材３の内面全体に上記粘着剤層６を積層し且つ非接着部５に対応する領域に隠蔽層７が積層されていてもよい。
【００２６】
隠蔽層７の形成方法としては、例えば、紫外線硬化型インキを粘着剤層６の表面に塗工する、シリコーンを含むコート剤などを粘着剤層６の表面に塗工する、薄いシートを粘着剤層６の表面に貼り付ける、などの方法が挙げられる。
【００２７】
また、上記のように表基材２の内面全体に粘着剤層６を積層する方法に代えて、図４に示すように、表基材２（又は裏基材３）の内面のうち、接着部４に対応する領域のみに粘着剤層６を積層してもよい。この場合、上記隠蔽層７の積層を省略できる。
【００２８】
一方、裏基材３の外面には、商品に貼着するための貼着部８が設けられている。該貼着部８は、裏基材３の外面略全体に設けられている。好ましくは、貼着部８の面積（貼着部８が形成されている領域の面積）は、接着部４の面積（接着部４が形成されている領域の面積）よりも大きい。貼着部８の面積と接着部４の面積の大きさの差は、特に限定されないが、好ましくは貼着部８の面積が、接着部４の面積に対して、１．５倍以上であり、好ましくは、１．５倍〜１０倍であり、より好ましくは２倍〜７倍である。
【００２９】
貼着部８の面積を大きく形成する方法としては、表基材２と裏基材３が同大の場合又は裏基材３が表基材２よりも大きい場合に、裏基材３の外面全体に貼着部８を形成する方法、表基材２が裏基材３よりも大きい場合に、貼着部８を接着部４よりも大面積に形成する方法、などが挙げられる。
貼着部８は、裏基材３に粘着剤を塗工することによって形成された粘着剤層６１の露出面からなる。また、粘着剤に代えて、接着剤を用いてもよい。
該粘着剤としては、感圧型粘着剤が好ましいが、感熱型粘着剤を用いることもできる。
【００３０】
尚、裏基材３の貼着部８が、感圧型粘着剤である場合、該裏基材３の貼着部８の表面には、通常、離型紙（図示せず）が仮貼付される。
【００３１】
＜ラベル付き商品について＞
ラベル付き商品１０は、図５〜図７に示すように、商品（図示例では、容器９）と上記ラベル１とを有する。該ラベル付き商品１０は、ラベル１の裏基材３がその貼着部８を介して商品の外面に貼着され、且つ表基材２の非接着部５が裏基材３から離れ、該非接着部５が商品の外面から突出している。
【００３２】
商品は、特に限定されず、飲料や調味料などの食品を充填した容器、化粧品などを充填した容器、各種物品を包装した包装箱などが挙げられる。前記容器の材質は、特に限定されず、例えば、合成樹脂製、ガラス製、陶器製、金属製などが挙げられる。また、容器の形状は、特に限定されず、例えば、胴部と胴部よりも小径の首部を有するボトル型容器、筒型容器、樽型容器、瓢箪型容器などが挙げられる。また、前記包装箱は、特に限定されず、紙、合成樹脂製シートなどを組み立てた箱のほか、合成樹脂成型箱でもよい。また、商品は、果物、野菜などの生鮮品などでもよい。
【００３３】
商品は、その外面に凹凸を有していてもよい。凹凸とは、商品に形成された凸部又は凹部である。
また、商品（前記容器や包装箱など）には、公知の筒状ラベル（熱収縮性筒状ラベル（シュリンクラベルとも呼ばれる）や自己伸縮性筒状ラベル（ストレッチラベルとも呼ばれる）など）、オーバーラップフィルムなどが装着されていてもよい。該筒状ラベルやオーバーラップフィルムが装着された商品は、筒状ラベルやオーバーラップフィルムの外面が筒状ラベル包装体やオーバーラップフィルム包装体の外面を構成している。
【００３４】
好ましい１つの実施形態では、商品として、胴部９１と、該胴部９１の上方に形成され且つ胴部９１よりも小径の肩部９２と、を有する容器９が用いられる。
該容器９は、いわゆるボトル型容器である。この容器９は、胴部９１と肩部９２の境界に稜線を有し、該稜線から上方へ離れるほどに容器９の外形が窄んでいる。
また、容器９の胴部９１の上方であって前記稜線の下方には、凹部９３が形成されている。この凹部９３は、容器９の周方向に形成されている。
また、容器９の胴部９１及び肩部９２の中途部にかけて、熱収縮性筒状ラベルなどの筒状ラベル９４が装着されている。該筒状ラベル９４は、容器９の外形に沿って密着しており、筒状ラベル９４のうち、容器９の凹部９３に対応する部分は、僅かに凹部９３側へ凹んでいる。
【００３５】
上記容器９の稜線に、ラベル１の接着部４の上端縁４ａが略一致するように位置合わせしつつ、ラベル１の裏基材３の貼着部８が、筒状ラベル９４の外面（容器９などの商品の外面に相当する）に貼着されている。従って、ラベル１の裏基材３は、容器９の胴部９１及び肩部９２に跨って貼着されている。また、裏基材３は、容器９の凹部９３を含んで貼着されている。図示した例では、裏基材３のうち、表基材２の接着部４に対応する裏基材３の領域が、容器９の凹部９３を含んで貼着されている。表基材２の接着部４に対応する前記裏基材３の領域は、凹部９３に対面している部分において、凹部９３の外面に密着しておらず、凹部９３から離れている。他方、裏基材３のうち、表基材２の非接着部５に対応する裏基材３の領域が、容器９の肩部９２に追従して貼着されている。本発明のラベル１は、このような凹凸面にも安定的に貼着できる。
もっとも、裏基材３の貼着部８のうち、表基材２との接着部４に対応する貼着部８は、容器９の平坦面（凹凸がない曲面状や平面状の部分）に貼着されていてもよい。
容器９の肩部９２は、次第に縮径する錐体状であるが、裏基材３は、柔軟性に優れるので、裏基材３は、該胴部９１及び肩部９２の外形に追従して密着する。
【００３６】
一方、表基材２の非接着部５は、裏基材３から離れ、容器９の外面から突出する。具体的には、ラベル１の接着部４の上端縁４ａが容器９の稜線に略一致するように貼着されているので、接着部４は、容器９の胴部９１に対応して接着している。一方、表基材２の非接着部５は、前記稜線よりも上方に位置しているので、該表基材２の非接着部５が、容器９の肩部９２へ追従することなく、容器９の肩部９２から離れて、上方に向かって突出している（胴部９１の外面の仮想延長上に突出している）。なお、ラベル１は、非接着部５が肩部９２から離れれば、接着部４の上端縁４ａが容器９の稜線よりも下方に位置するように接着してもよい。
【００３７】
上記ラベル１の接着部４における表基材２と裏基材３との接着強度は、前記裏基材３の貼着部８と商品（例えば容器９）との接着強度よりも大きいことが好ましい。接着部４における接着強度が、裏基材３と容器９との接着強度よりも大きいことにより、表基材２が異物等と接触しても、表基材２が裏基材３から外れ難くなる。
【００３８】
上記接着部４における表基材２と裏基材３との接着強度は、５．０〜１５．０Ｎ／１５ｍｍであることが好ましく、さらに、８．０〜１２．０Ｎ／１５ｍｍがより好ましい。
一方、裏基材３の貼着部８と商品（例えば容器９）の外面との接着強度は、１．０〜１０．０Ｎ／１５ｍｍであることが好ましく、さらに、３．０〜７．０Ｎ／１５ｍｍがより好ましい。
なお、本発明において、接着強度とは、ＪＩＳ  Ｚ  ０２３７の９０度剥離に準じた方法で測定された値をいう。具体的には、貼付体（裏基材）を１００ｍｍ×１５ｍｍに形成し、これを被着体（表基材の内面又は商品の外面（商品に筒状ラベルが装着されている場合には、筒状ラベルの外面））に貼り付け、３００ｍｍ／分の速度で長手方向に引っ張ったときに裏基材が剥離したときの最大応力値をいう。
なお、上記表基材と裏基材の接着強度の測定法において、表基材を貼付体とし、裏基材を被着体として測定することも含まれる。
【００３９】
上記接着部４における接着強度を、裏基材３と商品との接着強度よりも大きくする方法としては、例えば、貼着部８を構成する粘着剤よりも粘着性に優れた粘着剤を用いて接着部４を構成する方法、接着部４及び貼着部８を粘着性が同等の粘着剤を用いて構成し、且つ商品の外面よりもぬれ性（粘着剤が付着し易い性質）に優れた材質の表基材２を用いる方法、などが挙げられる。
【００４０】
上記ラベル付き容器１０は、表基材２の一部分（非接着部５）が商品（例えば容器９）から突出している。このため、該ラベル付き容器１０は、表基材２に表示された広告が目立つため、広告宣伝効果に優れている。
【００４１】
また、上記ラベル付き容器１０は、ラベル１の裏基材３が商品の外面に貼着されているので、ラベル１が不用意に外れることを防止できる。具体的には、従来のＰＯＰラベルは、１層構造なので、該ラベルの一部分が突出するように商品に貼着するためには、必然的にラベルと商品との貼着面積が小さくなる。この点、本発明のラベル１は、表基材２と裏基材３を有し、裏基材３の貼着部８が表基材２の接着部４よりも大面積なので、ラベル１と商品との貼着面積が大きくなる。このため、ラベル１を商品に安定的に貼着されたラベル付き商品１０を提供できる。特に、商品の凹凸面に対応した位置にラベル１を貼着した場合には、ラベル１の貼着部８が凹部９３から僅かに浮いているが、本発明のラベル１は、貼着部８が大面積であるため、凹凸面を含む商品の外面にも安定的に貼着できる。
【００４２】
さらに、上述のように、本発明のラベル１は、裏基材３の貼着部８のうち、表基材２の非接着部５に対応する貼着部８を、容器９の肩部９２に追従させて貼着でき、表基材２の接着部４に対応する貼着部８を、容器９の凹部９３に被さるように貼着できる。容器９の凹部９３に対して貼り付けられた貼着部８は、僅かに浮いているが、表基材２の非接着部５に対応する裏基材３の貼着部８が、容器９に対して十分に接着しているので、ラベル１が容器９から剥がれることを防止できる。また、このように裏基材３の貼着部８の一部が容器９の凹部９３に貼り付けられている場合、裏基材３が介在していることによって、表基材２が凹部９３の凹み（歪み）に追従変形することを防止できる。
【００４３】
また、上述のように、ラベル１を貼着することにより、裏基材３や表基材２には容器９の凹凸面に沿った凹凸変形が生じないので、ラベル１の貼着位置が容器９の上下に多少ずれても（接着部４の上端縁４ａが、容器９の稜線から上下何れかにずれても）、表基材２の非接着部５が傾くことなく、該非接着部５を略真っ直ぐに上方へ突出させることができる。本発明のラベル１は、非接着部５に対応する裏基材３の領域が容器９に密着して貼着されているので、該ラベル１が容器９から外れ難い。
【００４４】
従来のＰＯＰラベルは、１層構造なので、これを剥がれ難くするためには、接着部（貼付部）を大きく形成しなければならないが、そうすると、接着部によって容器の表示が大きく隠れるという不具合がある。本発明者らは、ラベルの突出する部分の内面側における容器の表示は、そもそも該突出部分に隠れて見えにくいことに着目した。本発明のラベル１は、表基材２の非接着部５（突出する部分）の内面側における容器に、裏基材３が拡がって貼り付けられるので、ラベル１が外れにくくなること、及び容器に表された表示を出来るだけ消費者に見せること、を両立させている。
【００４５】
尚、本発明は、上記実施形態に限られず、適宜設計変更することができる。以下、本発明の他の実施形態を説明するが、上記実施形態と同様の構成については、説明を省略し、用語及び符号を援用する場合がある。
【００４６】
上記実施形態のラベル１において、接着部４は、表基材２と裏基材３の一端部の帯状領域に形成されているが、接着部４の形成位置は、この位置に限定されない。例えば、図８に示すように、表基材２と裏基材３の内面の中央部よりも下方寄りの領域に接着部４が形成され、両基材２，３が接着されていてもよい。かかるラベル１は、両基材２，３の上方部及び下端部において、接着部４の上端縁４ａ及び下端縁４ｂを境にして、両基材２，３が接着されていない非接着部５’，５”を有する。
かかるラベル１を商品に貼着してラベル付き商品を構成する場合、表基材２のうちで面積が大きい非接着部５’（接着部４以外の表基材２の一部）が商品から突出するように貼着される。なお、この場合、面積が小さい非接着部５”は、商品から突出しなくなるが、前記面積が大きい非接着部５’が突出しているので、ラベル付き商品の広告宣伝効果が損なわれることはない。
【００４７】
また、上記実施形態のラベル１において、貼着部８は、裏基材３の外面全体に設けられているが、貼着部８は、裏基材３の外面の一部の領域に設けられていてもよい。このように裏基材３の一部の領域に貼着部８を設ける場合、少なくとも表基材２の非接着部５に対応する裏基材３の外面に、貼着部８が設けられていることが好ましい。
もっとも、上記実施形態のように、裏基材３の外面全体に貼着部８が設けられていれば、裏基材３の貼着面積が大きくなるのでより好ましい。
【００４８】
さらに、上記実施形態のラベル１において、裏基材３が部分的に分割されていてもよい。例えば、図９に示すように、裏基材３の面内に、上下方向（又は斜め方向など）に伸びる切り目１１を１本又は複数形成することにより、裏基材３が２つ以上の領域に分割されていてもよい。このように裏基材３が分割されているラベル１は、容器の凹凸面や容器の肩部（縮径した部分）に裏基材３を追従させ、裏基材３の貼着部８を容器に確実に貼り付けることができる。
【００４９】
また、上記実施形態のラベル付き商品１０において、ラベル１の裏基材３は、容器９の胴部９１と肩部９２に跨った位置に貼着されているが、裏基材３の貼着位置はこれに限定されず、例えば、裏基材３が、容器のキャップ部の周側面と天面に跨って貼着されていてもよい。このようにラベル１が貼着されたラベル付き容器は、表基材２の非接着部５が、容器のキャップ部の天面から上方に突出する。
また、裏基材３が商品の封緘ラベルとして機能するように、裏基材３が商品に貼着されていてもよい。例えば、開口を有する箱本体と、箱本体にヒンジ部を介して連結され且つ開口を開閉可能な片開き蓋とを有する包装箱の場合には、裏基材３が、前記箱本体と片開き蓋に跨って貼着されていてもよい。
【００５０】
上記実施形態のラベル付き商品１０において、ラベル１の裏基材３のうち、表基材２の接着部４に対応する裏基材３の領域は、容器（商品）の凹部９３に対面している部分において、凹部９３から離れているが、該裏基材３が、凹部９３の外面に密着するように貼着されていてもよい。
【図面の簡単な説明】
【００５１】
【図１】本発明の１つの実施形態に係るラベルの平面図。ただし、接着部が形成された領域を判り易く図示するため、接着部が形成された範囲を薄墨塗りで示す。
【図２】同背面図。ただし、貼着部が形成された領域を判り易く図示するため、貼着部が形成された範囲を薄墨塗りで示す。
【図３】図１のＩＩＩ−ＩＩＩ線断面図。
【図４】他の実施形態に係るラベルの断面図。ただし、この断面図は、ＩＩＩ−ＩＩＩ線と同じ方向で切断したときの断面である。
【図５】本発明の１つの実施形態に係るラベル付き商品の側面図。
【図６】同正面図。
【図７】図６のＶＩＩ−ＶＩＩ線断面図。ただし、容器は断面で示さず、ラベルのみを断面で示す。
【図８】本発明の他の実施形態に係るラベルの平面図。ただし、接着部が形成された領域を判り易く図示するため、接着部が形成された範囲を薄墨塗りで示す。
【図９】本発明の他の実施形態に係るラベルの背面図。ただし、貼着部が形成された領域を判り易く図示するため、その範囲を薄墨塗りで示す。
【符号の説明】
【００５２】
１…ラベル、２…表基材、３…裏基材、４…接着部、４ａ…接着部の上端縁、５…非接着部、６，６１…粘着剤層、７…隠蔽層、８…貼着部、９…商品（容器）、１０…ラベル付き商品
【図１】
0005205106.tif 000002
【図２】
0005205106.tif 000003
【図３】
0005205106.tif 000004
【図４】
0005205106.tif 000005
【図５】
0005205106.tif 000006
【図６】
0005205106.tif 000007
【図７】
0005205106.tif 000008
【図８】
0005205106.tif 000009
【図９】
0005205106.tif 000010